(57)【要約】【課題】ペットを簡単にバッグの中に入れて移動させることができるとともに、飼い主とペットとがコミュニケーションをとることができるうえ、ペットに不安を与えずに移動させることができ、さらには簡単に折り畳むことができるペット用バッグを提供する。【解決手段】上部に開口部３０を有するバッグ本体２と、このバッグ本体２に設けられた提げ手又はショルダーベルトを備えている。そして、バッグ本体２が２つに折り畳み可能とされており、折り畳まれた際に、この折り畳み状態を維持する係止手段（例えば、ホック８）がバッグ本体の適所に設けられている。また、バッグ本体２が裾拡がり状にしてもよく、更に、ゴム紐４を開口部３０の周縁に設け、開口部３０を全開状態からやや窄まった状態に保持するようにしてもよい。【選択図】図１
2008142322.tif 000002
【特許請求の範囲】
【請求項１】
上部に開口部を有するバッグ本体と、このバッグ本体に設けられた提げ手又はショルダーベルトを備えたペット用バッグであって、
前記バッグ本体が２つに折り畳み可能とされるとともに、折り畳まれた際に該折り畳み状態を維持する係止手段がバッグ本体の適所に設けられたことを特徴とするペット用バッグ。
【請求項２】
前記バッグ本体が裾拡がり状に形成されたことを特徴とする請求項１に記載のペット用バッグ。
【請求項３】
前記開口部を全開状態からやや窄まった状態に保持する弾性紐が該開口部の周縁に設けられたことを特徴とする請求項１又は２に記載のペット用バッグ。
【請求項４】
前記開口部が略矩形状に形成されるとともに、該開口部の２組の対向縁のうち１組の対向縁同士を常に近接する方向に付勢する弾性紐が、該対向縁間に張設されたことを特徴とする請求項１又は２に記載のペット用バッグ。
【請求項５】
前記開口部の大きさを調整する調整紐が、前記開口部の周縁に設けられたことを特徴とする請求項１乃至４のいずれか一つに記載のペット用バッグ。
【請求項６】
前記調整紐が弾性紐であることを特徴とする請求項５に記載のペット用バッグ。
【請求項７】
前記係止手段はホックであることを特徴とする請求項１乃至６のいずれか一つに記載のペット用バッグ。
【請求項８】
前記ホックは前記バッグ本体に浮動状態で設けられたことを特徴とする請求項７に記載のペット用バッグ。
【請求項９】
前記バッグ本体が折り畳まれた状態において外面となる面に、他の提げ手又はショルダーベルトを取り付けるための取付け部が設けられたことを特徴とする請求項１乃至８のいずれか一つに記載のペット用バッグ。
【請求項１０】
前記バッグ本体が折り畳まれた状態において外側となる面にポケットが設けられたことを特徴とする請求項１乃至９のいずれか一つに記載のペット用バッグ。
【請求項１１】
前記バッグ本体内に収容されたペットの首輪と連結される繋ぎ具を先端部に有するペット繋留紐が、バッグ本体の底面部から延設されたことを特徴とする請求項１乃至１０のいずれか一つに記載のペット用バッグ。
【請求項１２】
前記バッグ本体に収容されたペットの胴部を押さえるとともに前記開口部の拡開を防止するベルトが前記開口部に架設されたことを特徴とする請求項１乃至１１のいずれか一つに記載のペット用バッグ。
【請求項１３】
前記バッグ本体には、その内面と面ファスナにより固定される中敷が設けられたことを特徴とする請求項１乃至１２のいずれか一つに記載のペット用バッグ。
【発明の詳細な説明】
【技術分野】
【０００１】
本発明は、ペットを運搬するためのペット用バッグに関する。
【背景技術】
【０００２】
最近、小型のペットを飼う人が多くなっている。小型のペットを飼う人は、ペットと緊密なコミュニケーションを取るために、ペットを抱いたり、バッグの中に収容したりして、ペットと共に移動することが多い。
【０００３】
また、場所によっては、ペットの歩行が禁じられているため、ペットを抱きかかえて移動しなければならない場合もある。例えば、マンションでペットを飼っている場合、飼い主の部屋の玄関口からマンションのエントランスまでペットを抱きかかえて移動しなければならない場合がある。
【０００４】
マンションなどの集合住宅などは、多数の人が共に暮らす場であり、特に、ペットの飼い主にはペットの飼養上のマナーが求められ、例えば、マンションの廊下、エレベータ、エントランスなどの建物共有部においては、規則として、ペットの排泄禁止となっている場合が多い。従って、そのような建物共有部では、飼い主は、ペットを抱きかかえて移動させなければならない。つまり、犬や猫などのペットは、その本能により排泄物によるマーキングをする動物であり、飼い主といえども、建物共有部ということを理解させて排泄をしないようにペットを躾ることは困難であるので、結局、飼い主は、ペットをマンションの外に出す場合には、建物共有部では歩かせないようにするため、ペットを抱きかかえたり、バッグに収容したりして運ぶ必要があった。
【０００５】
また、最近では、殆どの時間を屋内で生活するため運動不足となって体力がないペットもおり、このようなペットを散歩に連れて行っても、ペットが途中で疲れて動かなくなってしまう場合があるので、このような場合も、ペットを抱きかかえペット用バッグに収容して移動させる必要があった。
【０００６】
このようにペットをバッグに収容して移動する場合が多々あったが、従来のペット用バッグは、他人に迷惑がかからないようにペットを移動させるものとして設計されたものであり、内部空間の四方を壁により完全に囲っており、また、ペットの出入り口も完全に塞ぐ頑丈な扉が設けられているものが多かった。そのため、ペットに不安を与え、好んでペットが中に入るものではなく、また、嵩高く持ち歩くのにも不便なものであった。
【０００７】
そこで、ペットを簡単にバッグの中に入れて移動させることができ、飼い主とペットとがコミュニケーションをとることができ、しかもペットに不安を与えずに移動させることができるペット用ショルダバッグが提案されている（例えば、特許文献１）。
【０００８】
このペット用ショルダバッグにおいては、バッグ本体の上部に、ペットの頭部を出すことができる開口部が設けられ、ペットが常に飼い主とコミュニケーションがとれるものとされている。また、ペットが跳び出さないように開口部には、口紐が設けられ、その開口部の大きさを自在に調整できるようにされている。
【特許文献１】特開２００２−１３６３２１号公報
【発明の開示】
【発明が解決しようとする課題】
【０００９】
しかしながら、特許文献１に記載のペット用バッグでは、ペットを安心させて移動させることができるものではあったが、ペットをペット用バッグから取り出した後は嵩張って持ち歩くのに非常に邪魔になる場合があった。特に、マンションから外に出すためだけにペット用バッグを用いる場合にあっては、散歩が本来の目的であるのに、嵩張って邪魔なペット用バッグを持ち回らなければならず、気持ちよくペットを散歩させることができなかった。
【００１０】
また、ペットの散歩の帰りなどで買物をする場合には、ペットは店外の電柱などに繋いでおけるものの、ペット用バッグまでペットと一緒に店外に置いておくことはできないため、嵩高いペット用バッグを携帯したまま買物をしなければならず、非常に邪魔になる場合があった。
【００１１】
本発明はこのような状況に鑑みてなされたものであり、ペットを簡単にバッグの中に入れて移動させることができるとともに、飼い主とペットとがコミュニケーションをとることができるうえ、ペットに不安を与えずに移動させることができ、さらには簡単に折り畳むことができるペット用バッグを提供することを目的とする。
【課題を解決するための手段】
【００１２】
本発明に係るペット用バッグは、上部に開口部を有するバッグ本体と、このバッグ本体に設けられた提げ手又はショルダーベルトを備えたペット用バッグであって、前記バッグ本体が２つに折り畳み可能とされるとともに、折り畳まれた際に該折り畳み状態を維持する係止手段がバッグ本体の適所に設けられたことを特徴とする。
【００１３】
本発明によれば、２つに折り畳み可能であって、しかも係止手段により折り畳み状態を維持するものであるから、ペットをバッグ本体内に収容しないときはコンパクトにすることができ、嵩張ることがない。このため、ペットの散歩で携帯しても邪魔にならない。
【００１４】
また、本発明に係るペット用バッグでは、前記バッグ本体が裾拡がり状に形成されたことを特徴としてもよい。
【００１５】
この構成によれば、バッグ本体が裾拡がり状であることから、側面部が外側に倒れないので、２つに折り畳む際、側面部を内側に簡単に折り畳むことができる。
【００１６】
また、本発明に係るペット用バッグでは、前記開口部を全開状態からやや窄まった状態に保持する弾性紐が該開口部の周縁に設けられたことを特徴としてもよい。或いは、前記開口部が略矩形状に形成されるとともに、該開口部の２組の対向縁のうち１組の対向縁同士を常に近接する方向に付勢する弾性紐が、該対向縁間に張設されたことを特徴としてもよい。
【００１７】
この構成によれば、バッグ本体の開口部を常に窄まった状態に保持することができることから、バッグ本体内にペットを収容していないときは、側面部が常に内側に倒れ込もうとするので、バッグ本体を折り畳む際、手間をかけず簡単に折り畳めることができる。
【００１８】
また、本発明に係るペット用バッグでは、前記開口部の大きさを調整する調整紐が、前記開口部の周縁に設けられたことを特徴としてもよい。
【００１９】
この構成によれば、バッグ本体の開口部を自在に窄めたり広げたりすることができるので、状況に応じて開口部を適当な大きさに調節することができる。
【００２０】
また、本発明に係るペット用バッグでは、前記調整紐が弾性紐であることを特徴としてもよい。
【００２１】
この構成によれば、開口部を伸縮させることができることから、例えば、ペットの跳び出し防止のためにペットに頭部だけを開口部から出させて開口部を窄ませた場合に、開口部がペットの動きに追従するように伸縮するので、ペットの首などに傷を負わせることもなく、ペットを安心して持ち運ぶことができる。
【００２２】
また、本発明に係るペット用バッグでは、前記係止手段はホックであることを特徴としてもよい。
【００２３】
この構成によれば、ホックは押圧により係合するので、ペット用バッグを折り畳んでから直ぐに（短時間で）係合することができる。これにより、ペットをペット用バッグから出してペット用バッグを折り畳む場合においては、ペットを繋いだリードを操作しながらペット用バッグを折り畳むという面倒な作業を短時間で行うことができる。
【００２４】
また、ホックは互いに引き離すだけでその係合が外れるものであるので、バッグ本体を広げるように引っ張るだけでホックの係合を解除し、ペット用バッグを迅速に広げることができる。これにより、ペットをペット用バッグに収容する場合においても、ペット用バッグを広げて中に収容するという面倒な作業を短時間に行うことができる。
【００２５】
また、本発明に係るペット用バッグでは、前記ホックは前記バッグ本体に浮動状態で設けられたことを特徴としてもよい。
【００２６】
このような構成によれば、ホックが固定されずバッグ本体に浮動状態とされていることから、バッグ本体を折り畳んだ際にホックの位置合わせが少々うまくいかなくてもホックを移動させることができるので、容易にホックを係合させることができる。
【００２７】
また、本発明に係るペット用バッグでは、前記バッグ本体が折り畳まれた状態において外面となる面に、他の提げ手又はショルダーベルトを取り付けるための取付け部が設けられたことを特徴としてよい。
【００２８】
このような構成によれば、提げ手又はショルダーベルトを取付け部に取り付けることができるので、ペット用バッグを折り畳んだ状態のものをショルダバッグや手提げカバンのように持つことができ、折り畳んだペット用バッグを携帯し易くすることができる。
【００２９】
また、本発明に係るペット用バッグでは、前記バッグ本体が折り畳まれた状態において外側となる面にポケットが設けられたことを特徴としてもよい。
【００３０】
このような構成によれば、ペット用バッグを折り畳んだ状態においても、ペットの散歩に必要なものをいつでも取り出すことができる。また、このポケットにショルダーベルトや提げ手などを格納しておくことができ、この場合は、このショルダーベルトや提げ手を別途携帯する面倒がなくなる。
【００３１】
また、本発明に係るペット用バッグでは、前記バッグ本体内に収容されたペットの首輪と連結される繋ぎ具を先端部に有するペット繋留紐が、バッグ本体の底面部から延設されたことを特徴としてもよい。
【００３２】
この構成によれば、繋ぎ具を備えたペット繋留紐がバッグ本体に固定されていることから、バッグ本体内に収容されたペットの首輪にペット繋留紐の繋ぎ具を連結するだけで、ペットがバッグ本体から跳び出さないようにすることができる。
【００３３】
また、本発明に係るペット用バッグでは、前記バッグ本体に収容されたペットの胴部を押さえるとともに前記開口部の拡開を防止するベルトが前記開口部に架設されたことを特徴としてもよい。
【００３４】
この構成によれば、ペットをバッグ本体に収容した状態においてバッグ本体が変形してしまう場合であっても、ベルトにより開口部の拡開を防止することができる。また、このベルトにより、ペットの胴部を押えることができ、ペットの跳び出しを防止することもできる。
【００３５】
また、本発明に係るペット用バッグでは、前記バッグ本体には、その内面と面ファスナにより固定される中敷が設けられたことを特徴としてもよい。
【００３６】
この構成によれば、中敷を簡単に取り外すことができるので、ペットが排尿したりしても中敷によりバッグ本体の汚損を防止することができ、中敷が汚れたときは、バッグ本体から取り外して簡単に清掃することができる。
【発明の効果】
【００３７】
本発明に係るペット用バッグによれば、上部に開口部を有するバッグ本体と、このバッグ本体に設けられた提げ手又はショルダーベルトを備えており、バッグ本体が２つに折り畳み可能とされるとともに、折り畳まれた際に該折り畳み状態を維持する係止手段がバッグ本体の適所に設けられたことから、ペットをバッグ本体内に収容しないときはコンパクトにすることができ、嵩張ることがない。このため、ペットの散歩で携帯しても邪魔にならない。
【００３８】
また、本発明に係るペット用バッグによれば、バッグ本体が裾拡がり状に形成されたことから、側面部が外側に倒れないので、２つに折り畳む際、側面部を内側に簡単に折り畳むことができる。
【００３９】
また、本発明に係るペット用バッグによれば、開口部を全開状態からやや窄まった状態に保持する弾性紐が該開口部の周縁に設けられたことから、或いは、開口部が略矩形状に形成されるとともに、開口部の２組の対向縁のうち１組の対向縁同士を常に近接する方向に付勢する弾性紐が、対向縁間に張設されたことから、バッグ本体の開口部を常に窄まった状態に保持することができ、これにより、バッグ本体内にペットを収容していないときは、側面部が常に内側に倒れ込もうとするので、バッグ本体を折り畳む際、手間をかけず簡単に折り畳めることができる。
【００４０】
また、本発明に係るペット用バッグによれば、開口部の大きさを調整する調整紐が開口部の周縁に設けられたことから、バッグ本体の開口部を自在に窄めたり広げたりすることができるので、状況に応じて開口部を適当な大きさに調節することができる。
【００４１】
また、本発明に係るペット用バッグによれば、調整紐として弾性紐を用いて開口部を伸縮させることができることから、例えば、ペットの跳び出し防止のためにペットに頭部だけを開口部から出させて開口部を窄ませた場合に、開口部がペットの動きに追従するように伸縮するので、ペットの首などに傷を負わせることもなく、ペットを安心して持ち運ぶことができる。
【００４２】
また、本発明に係るペット用バッグによれば、係止手段はホックであることから、ペット用バッグを折り畳んで直ぐに（短時間で）係合することができる。また、ホックの係合は、互いに引き離すだけでその係合が外れるので、ペットをペット用バッグに収容する場合においても、ペット用バッグを広げて中に収容するという面倒な作業を短時間に行うことができる。また、ホックは互いに引き離すだけでその係合が外れるものであるので、バッグ本体を広げるように引っ張るだけでホックの係合を解除し、ペット用バッグを迅速に広げることができる。これにより、ペットをペット用バッグに収容する場合においても、ペット用バッグを広げて中に収容するという面倒な作業を短時間に行うことができる。
【００４３】
また、本発明に係るペット用バッグによれば、ホックはバッグ本体に浮動状態で設けられたことから、バッグ本体を折り畳んだ際にホックの位置合わせが少々うまくいかなくてもホックを移動させることができるので、容易にホックを係合させることができる。
【００４４】
また、本発明に係るペット用バッグによれば、バッグ本体が折り畳まれた状態において外面となる面に、他の提げ手又はショルダーベルトを取り付けるための取付け部が設けられたことから、提げ手又はショルダーベルトを簡単に取付け部に取り付けて、ペット用バッグを折り畳んだ状態のものをショルダバッグや手提げカバンのようにすることができ、これにより、折り畳んだペット用バッグを携帯し易くすることができる。
【００４５】
また、本発明に係るペット用バッグによれば、バッグ本体が折り畳まれた状態において外側となる面にポケットが設けられたことから、ペット用バッグを折り畳んだ状態においても、必要なものをいつでも取り出すことができる。
【００４６】
また、本発明に係るペット用バッグによれば、バッグ本体内に収容されたペットの首輪と連結される繋ぎ金具を先端部に有するペット繋留紐が、バッグ本体の底面部から延設されたことから、バッグ本体内に収容されたペットの首輪にペット繋留紐の繋ぎ具を連結するだけで、ペットがバッグ本体から跳び出さないようにすることができる。
【００４７】
また、本発明に係るペット用バッグによれば、バッグ本体に収容されたペットの胴部を押さえるとともに前記開口部の拡開を防止するベルトが前記開口部に架設されたことから、ペットをバッグ本体に収容した状態においてバッグ本体が変形してしまう場合であっても、ベルトにより開口部の拡開を防止することができる。また、このベルトにより、ペットの胴部を押えることができ、ペットの跳び出しを防止することもできる。
【００４８】
また、本発明に係るペット用バッグによれば、バッグ本体には、その内面と面ファスナにより固定される中敷が設けられたことから、中敷を簡単に取り外すことができるので、ペットが排尿したりしても中敷によりバッグ本体の汚損を防止することができ、中敷が汚れたときは、バッグ本体から取り外して簡単に清掃することができる。
【発明を実施するための最良の形態】
【００４９】
以下、本発明の実施の形態を図面に基づいて説明する。
【００５０】
＜実施の形態１＞
図１は、実施の形態１に係るペット用バッグの斜視図である。図２は、実施の形態１に係るペット用バッグを肩にかけた状態を示した概略図である。図３は、実施の形態１に係るペット用バッグを折り畳む状態を示し、図３（Ａ）は折り畳み途中の状態を示した概略図であり、図３（Ｂ）はホックを係合するときの状態を示した概略図であり、図３（Ｃ）はホックを係合してハンドバッグ状のものとしたときの状態を示した概略図である。
【００５１】
本実施の形態に係るペット用バッグ１は、ペットを収容する開口部３０を備えたバッグ本体２と、バッグ本体２に設けられた幅広のショルダーベルト（又は提げ手）３により主要部が構成されている。ショルダーベルト３は、バッグ本体２の両横側面部２１，２１に架け渡されるように設けられる。また、バッグ本体２は２つに折り畳み可能であり、その底面部２０には、この折り畳み状態を維持するためのホック（係止手段）８が設けられている。これにより、バッグ本体２を２つに折り畳み、ホック８でその折り畳み状態を維持できるので、ペット用バッグ１をコンパクトにすることができる。
【００５２】
ペットをペット用バッグ１に収容して持ち運ぶ場合には、図２に示すように、バッグ本体２の開口部３０から頭部を出させた状態にしてペットをバッグ本体２の中に収容し、ショルダーベルト３を肩にかけてペットを抱きかかえるようにして運ぶ。また、ペットを外に出した場合には、上述したように、ペット用バッグ１を折り畳んでコンパクトにして携帯する。以下、各構成要素について説明する。
【００５３】
バッグ本体２は、折曲げ可能な柔軟なシートにより形成され、その構成は、矩形状の底面部２０と、底面部２０の長手側辺２３から立ち上げられた縦側面部２２と、底面部２０の短手側辺２４から立ち上げられた横側面部２１とからなっている。この縦側面部２２はバッグ本体２の内側に傾倒しており、これによってバッグ本体２は、全体として裾拡がり状とされている。このようなバッグ本体２の形態により、横側面部２１及び縦側面部２２の上端が外側に広がらないので、バッグ本体２を２つに折り畳む際に横側面部２１を内側に簡単に倒して折り畳むことができる。
【００５４】
なお、底面部２０は、２層に重ねたシート３６，３６の間に、柔軟性及び断熱性を備えたクッション材（例えば、ポリエチレンシート、ポリウレタン多孔性シートなど）３５を挟んだ構造（図６参照）とすることが好ましい。この構成により、底面部２０に弾力性を持たせることができ、且つ、ペット用バッグ１を地面に置いた場合において地面からの熱の伝導を遮断することができるので、ペットの居心地をよくすることができる。
【００５５】
また、バッグ本体２には、図３に示すように、バッグ本体２の開口部３０が全開状態からやや窄まった状態を保持するように、互いに対向する横側面部２１の上辺端２５，２５同士間にゴム紐（弾性紐）４が張設されている。つまり、開口部３０の２組の対向縁のうちの１組の対向縁同士（横側面部２１の上辺同士）を常に近接する方向に付勢するように、ゴム紐４がこの対向縁間に張設され、これにより、開口部３０が窄まった状態に保持される。
【００５６】
このような構成によれば、バッグ本体２の開口部３０を常に窄まった状態とすることができることから、バッグ本体２を自然な状態に置いても、横側面部２１が自然に内側に倒れ込むものとすることができ、バッグ本体２は、手間をかけず簡単に折り畳めるものとすることができる。
【００５７】
また、このゴム紐４は、縦側面部２２の上辺に沿って設けられた紐通し６に挿通された状態とされている。すなわち、ゴム紐４を単に縦側面部２２に接着して設ける構成とするのではなく、ゴム紐４を紐通し６に挿通させる構成とすることにより、縦側面部２２の上辺をゴム紐４の伸縮に追従させるものとしている。特に、ペットの爪などで簡単に破れない頑丈なバッグとするために、縦側面部２２などを伸縮性の乏しい頑丈なシートで形成した場合にあっては、ゴム紐４を頑丈なシートに接着したとしてもゴム紐４の伸縮に縦側面部２２を追従させることができないが、この構成とすることにより、ゴム紐４の伸縮に対して縦側面部２２を追従させることができる。
【００５８】
また、バッグ本体２の開口部３０には、開口部３０の大きさを調整する調整紐５が縦側面部２２の上辺に沿って設けられている。具体的には、調整紐５は、紐通し６において所定の間隔で設けられた貫通穴６１に交互に挿通され、紐通し６の中央部で調整紐５が余るように配置され、その端は、横側面部２１の上辺端２５に縫い付けられ固定されている。そして、紐通し６の中央部における調整紐５の余剰部を引き絞ることにより、横側面部２１が内側に引き寄せられ開口部３０が窄まるものとされている。このような構成によれば、バッグ本体２の開口部３０を自在に窄めたり広げたりすることができるので、ペットを出し入れする場合には開口部３０を広げたり、また、ペットの跳び出しを防止する場合には開口部３０を閉じたりするなど、状況に応じて開口部３０を適当な大きさに調節することができる。
【００５９】
また、紐通し６の中央部における調整紐５の余剰部には、該余剰部の長さを固定するための固定手段が設けられている。すなわち、調整紐５を引き絞って開口部３０を窄めた場合でも、そのまま放置すると開口部３０が自然と元の大きさにまで拡がるので、これを阻止するためには、調整紐５を絞ったときにできる余剰部を固定する必要があり、これを実現する手段として固定手段が調整紐５に設けられる。
【００６０】
この固定手段は、調整紐５の余剰部を固定でき且つ余剰部ごと調整紐５を自在に移動させることができるものであればよく、例えば、紐を押圧する押圧部（押圧状態を自在に解放できる付勢機能を備えたもの）を備えた紐止め具７などが用いられる。
【００６１】
このような構成によれば、開口部３０を窄めた状態で、調整紐５の余剰部の長さを紐止め具７により固定することができ、開口部３０の大きさを保持させることができる。
【００６２】
なお、調整紐５は、伸縮自在のゴム紐であることが好ましい。具体的には、開口部３０から頭部を出したペットの動きに応じて伸び縮みし、ペットに負担をかけない程度の伸縮性を備えたゴム紐とすることが好ましい。
【００６３】
この構成によれば、開口部３０を伸縮させることができることから、例えば、ペットの跳び出し防止のためにペットに頭部だけを開口部３０から出させて開口部３０を窄ませた場合に、開口部３０がペットの動きに追従するように伸縮するので、ペットの首などに傷を負わせることもなく、ペットを安心して持ち運ぶことができる。
【００６４】
また、バッグ本体２の底面部２０の四隅付近には、押圧により相互に係合するホック８が設けられている。つまり、ペット用バッグ１を折り畳んだ状態において、互いに対向する位置にホック８が設けられている。具体的には、図３（Ａ）及び（Ｂ）に示すように、ショルダーベルト３を開口部３０が存する側に載せて横側面部２１及び縦側面部２２を開口部３０が存する側に倒し、開口部３０を内側にして底面部２０の長手方向が半分となるように２つ折にした状態において互いに対向する部分にホック８が設けられる。すなわち、一方の横側面部２１の底辺両端にそれぞれ雄型のホック８が設けられ、他方の横側面部２１の底辺両端にそれぞれ雌型のホック８が設けられている。そして、ペット用バッグ１の底面部２０が外側となるように２つ折りに折り畳んだときに、雄型のホック８と雌型のホック８とが係合するようになっている。
【００６５】
このような構成によれば、ペット用バッグ１を折り畳んだ状態で、底面部２０に設けられたホック８を相互に係合することにより、折り畳み状態を維持することができ、見かけ上、ハンドバッグに似たものとすることができる。従って、ペットをペット用バッグ１から出し散歩させる場合であっても、ペット用バッグ１が邪魔にならず、また、外見においてもスマートに見える。
【００６６】
また、ホック８は押圧により係合するので、ペット用バッグ１を折り畳んでから直ぐに（短時間で）係合することができる。これにより、ペットをペット用バッグ１から出してペット用バッグ１を折り畳む場合においては、ペットを繋いだリードを操作しながらペット用バッグ１を折り畳むという面倒な作業を短時間で行うことができる。
【００６７】
また、ホック８は互いに引き離すだけでその係合が外れるものであるので、バッグ本体２を広げるように引っ張るだけでホック８の係合を解除し、ペット用バッグ１を迅速に広げることができる。これにより、ペットをペット用バッグ１に収容する場合においても、ペット用バッグ１を広げて中に収容するという面倒な作業を短時間に行うことができる。
【００６８】
更に、バッグ本体２の底面部２０の四隅付近に設けられるホック８は、中程が弛むように設けられた紐（以下、ホック固定紐９）の中間部に設けることが好ましい。つまり、ホック８は、バッグ本体２に浮動状態に設けられている。具体的には、バッグ本体２の四隅それぞれにおいて設けられるホック固定紐９の両端は、弛んだ状態で、つまり、ホック固定紐９と底面部２０との間に十分に指が入る程度の空間を設けられる状態で、底面部２０に固定されている。
【００６９】
このような構成によれば、ホック８が底面部２０に固定されず、底面部２０から浮動状態とされていることから、バッグ本体２を折り畳んだ際にホック８の位置合わせが少々うまくいかなくてもホック８を移動させることができるので、容易にホック８を係合させることができる。
【００７０】
また、ホック固定紐９と底面部２０との空間に指を入れることができることから、互いに係合させるホック８，８同士を真正面に対向させることが容易にできるので、更に、容易にホック８，８を係合させることができる。
【００７１】
以上のようなペット用バッグ１によれば、バック本体２は、２つに折り畳み可能であって、しかもホック８により折り畳み状態を維持するものであるから、ペットをバッグ本体２内に収容しないときはコンパクトにすることができ、嵩張ることがない。このため、ペットの散歩で携帯しても邪魔にならない。
【００７２】
また、バッグ本体２が裾拡がり状であることから、横側面部２１及び縦側面部２２が外側に倒れないので、２つに折り畳む際、横側面部２１及び縦側面部２２を内側に簡単に折り畳むことができる。
【００７３】
また、ゴム紐４によりバッグ本体２の開口部３０を全開状態よりもやや窄まった状態とされていることから、バッグ本体２内にペットを収容していないときは、横側面部２１及び縦側面部２２が常に内側に倒れ込もうとするので、バッグ本体２を折り畳む際、手間をかけず簡単に折り畳めることができる。
【００７４】
＜実施の形態２＞
本実施の形態では、実施の形態１に係るペット用バッグにおいて更に使い勝手をよくする機能を設けたものについて説明する。本実施の形態のペット用バッグの主要な構成は実施の形態１のペット用バッグと同様であり、この同様の部分については説明を省略する。ここでは、主に、追加した機能について説明する。
【００７５】
図４は、実施の形態２に係るペット用バッグの斜視図である。図５は、実施の形態２に係るペット用バッグの中敷の斜視図である。図６は、実施の形態２に係るペット用バッグの底面部の拡大断面図である。図７は、実施の形態２に係るペット用バッグを折り畳んだ状態のものにショルダーベルトを取り付けたものを示した概略図である。
【００７６】
本実施の形態に係るペット用バッグ１は、ペットを収容するバッグ本体２と、バッグ本体２の内側に敷かれる中敷４０と、バッグ本体２に設けられた幅広のショルダーベルト３により主要部が構成されている。ショルダーベルト３は、バッグ本体２の両横側面部２１，２１に架け渡されるように設けられる。また、バッグ本体２は２つに折り畳み可能であり、その底面部２０には、この折り畳み状態を維持するためのホック（係止手段）８が設けられている。これにより、バッグ本体２を２つに折り畳み、ホック８でその折り畳み状態を維持できるので、ペット用バッグ１をコンパクトにすることができる。
【００７７】
バッグ本体２は、実施の形態１のバッグ本体２と同様、矩形状の底面部２０と、底面部２０の長手側辺２３から立ち上げられた縦側面部２２と、底面部２０の短手側辺２４から立ち上げられた横側面部２１からなっている。この横側面部２１はバッグ本体２の内側に傾倒しており、これによってバッグ本体２は、全体として裾拡がり状とされている。
【００７８】
また、バッグ本体２の２つの横側面部２１のうちの一方は、バッグ本体２の上部より上方に拡張され、縦長に形成されている。そして、その拡張された部分に、ペットの散歩に必要なティッシュペーパなどを収容するためのポケット１１が設けられている。
【００７９】
このような構成によれば、散歩の途中でも、必要なものをポケット１１から取り出すことができる。また、ポケット１１が設けられた方の横側面部２１が飼い主の前面にくるようにペット用バッグ１を肩にかけた場合には、ポケット１１が飼い主の前面に配置されるので、容易に必要なものポケット１１から取り出すことができる。
【００８０】
また、バッグ本体２の縦側面部２２には、空気を流入させるための貫通穴１３が両脇に設けられている。この構成により、貫通穴１３からバッグ本体２の内部空間に外気を流入させることができることから、バッグ本体２から頭部を出せないくらいの小型のペットを運ぶ場合や、ペット用バッグ１の中でペットが寝てしまった場合など、ペットの頭がバッグ本体２の内部に収容されてしまう場合であっても、ペットが酸素不足に陥ってしまうことを防止することができるので、ペットを安心して持ち運ぶことができる。また、気温の高い日の散歩にあってはバッグ本体２の内部が蒸れてしまうことがあったが、貫通孔１３を設けたことにより外気を流入させて換気を行うことができるので、その蒸れを防止することができる。また、貫通穴１３をバッグ本体２の両脇に設けることにより、ペットの頭部をいずれの方向に向けてバッグ本体２に収容しても、頭部の近くに貫通穴１３を存在させることができるので、ペットをバッグ本体２に収容する際においてペットの方向を考慮する煩わしさをなくすことができる。
【００８１】
また、バッグ本体２には、バッグ本体内に収容されたペットの首輪と連結されるフック金具（繋ぎ具）１４が設けられている。具体的には、バッグ本体２の底面部２０に固定されたペット繋留紐１５の先端に、フック金具１４が取り付けられている。
【００８２】
この構成によれば、フック金具１４を備えたペット繋留紐１５がバッグ本体２に固定されていることから、バッグ本体２内に収容されたペットの首輪にペット繋留紐１５の繋ぎ具を連結するだけで、ペットがバッグ本体２から跳び出さないようにすることができる。
【００８３】
また、バッグ本体２の開口部３０の周縁には、開口部３０の拡開を防止するベルト２９が架設されている。具体的には、ベルト２９は、一方の縦側面部２２の上辺から延設された紐１８の先端に設けられたバックル雄部１６と、このバックル雄部１６と係合するものであって他方の縦側面部２２の上辺から延設された紐１９の先端に設けられたバックル雌部１７により構成されている。そして、このバックル雄部１６とバックル雌部１７を係合させることにより、両縦側面部２２，２２の間の距離が一定以下となるようにしている。
【００８４】
なお、このベルト２９に用いられる係合手段としては、バックルによる係合に限定されず、例えば、ホックなどによる係合であってもよく、また、フック金具を用いた係合であってもよい。また、上記に示したベルトでは、両方の縦側面部２２，２２からそれぞれ紐を延設し、その先端にバックル雄部１６又はバックル雌部１７を設けているが、このような構成に限定されず、例えば、一方の縦側面部２２にのみ紐を設けてその先端に係合部（例えば、バックル雄部１６）を設け、他方の縦側面部２２には紐を設けないで直接、係合部に係合する被係合部（例えば、バックル雌部１７）を設ける構成としてもよい。
【００８５】
このような構成によれば、ペットをバッグ本体２に収容した状態においてバッグ本体２が変形してしまう場合であっても、バックル雄部１６とバックル雌部１７を係合させることにより、互いに対向する縦側面部２２の距離を簡単に制限することができるので、ベルトにより開口部の拡開を防止し、バッグ本体２の形状を安定させることができる。従って、ペットを収容した状態でもバッグ本体２の形状が安定するので、ペットを安定して持ち運ぶことができる。また、このベルト２９は、ペットの背中越しに架け渡して係合させるので、ペットの胴部をおさえることができ、ペットの跳び出しを防止することができる。
【００８６】
バッグ本体２に敷かれる中敷４０は、バッグ本体２の下側半分を覆うように、開口部４１を備えた略長方体の箱状に形成されており、その開口部４１の外側周縁には、面ファスナ４５が設けられている。他方、この面ファスナ４５と係合する面ファスナ４６がバッグ本体２にも設けられている。更に、中敷４０の側面底部には、貫通孔４３が設けられ、フック金具１４が取り付けられたペット繋留紐１５が挿通するようにされている。
【００８７】
このような構成により、中敷４０を簡単に取り外すことができるので、ペットが排尿したりしても中敷４０によりバッグ本体２の汚損を防止することができ、中敷４０が汚れたときは、バッグ本体２から取り外して簡単に清掃することができる。また、中敷４０の側面底部には、フック金具１４が取り付けられたペット繋留紐１５を挿通するための貫通穴４３が設けられていることから、ペットが移動してペット繋留紐１５の引っ張られても、中敷４０が引っ張られることはないので、中敷４０がバッグ本体２から外れることもない。
【００８８】
また、実施の形態１と同様、バッグ本体２の開口部３０が全開状態よりもやや窄まった状態を保持するように、互いに対向する横側面部２１の上辺端２５，２５同士間にゴム紐４が張設されている。加えて、バッグ本体２の開口部３０には、開口部３０を自在に窄めたり広げたりすることができるように、開口部３０の大きさを調整する調整紐５が縦側面部２２の上辺に沿って設けられている。
【００８９】
また、実施の形態１と同様、バッグ本体２の底面部２０の四隅付近には、押圧により相互に係合するホック８が設けられている。つまり、ペット用バッグ１を折り畳んだ状態において、互いに対向する位置にホック８が設けられている。
【００９０】
このような構成によれば、ペット用バッグ１を折り畳んだ状態で、底面部２０に設けられたホック８を相互に係合することにより、折り畳み状態を維持することができ、見かけ上、ハンドバッグに似たものとすることができる。従って、ペットをペット用バッグ１から出し散歩させる場合であっても、ペット用バッグ１が邪魔にならず、また、外目においてもスマートに見える。
【００９１】
更に、ペット用バッグ１を折り畳んだ状態で外側となる底面部２０において、折り目の部分の両端には、ショルダーベルト５５又は提げ手を取り付けるための取付け部５０が設けられている。例えば、取付け部５０は、ショルダーベルト５５のフック金具５６を取り付けることができるＤ環５１と、このＤ環５１を回動自在に支持する輪状の紐５２により構成されている。
【００９２】
このような構成によれば、ショルダーベルト５５や提げ手のフック金具５６を簡単にＤ環５１に取り付けることができるので、ペット用バッグ１を折り畳んだ状態のものをショルダバッグや手提げカバンのように持つことができ、折り畳んだペット用バッグ１を携帯し易くすることができる。
【００９３】
また、ペット用バッグ１を折り畳んだ状態で外側となる部分に、ポケット１２を設けてもよい。例えば、ポケット１２は、実施の形態１に示した２層構造の底面部２０において、２層に重ねたシートの間に内ポケットとして設け、外側面にこの内ポケットの取り出し口を設けて形成される。
【００９４】
このような構成によれば、ペット用バッグ１を折り畳んだ状態においても、ペットの散歩に必要なものをいつでも取り出すことができる。また、このポケット１２にショルダーベルト５５や提げ手などを格納しておいてもよく、この場合は、このショルダーベルト５５や提げ手を別途携帯する面倒がなくなる。
【００９５】
以上のようなペット用バッグ１によれば、ペット用バッグ１を、手間をかけず迅速に折り畳むことができる。また、ペット用バッグ１の横側面部２１には、ポケット１１が設けられているので、ペット用バッグ１にペットを収容して肩にかけた状態においても、ポケット１１からティッシュなどを簡単に取り出すことができる。また、バッグ本体２に貫通穴１３が設けられているので、ペットの酸素不足を防止することができる。また、ペット用バッグ１にペットの首輪に繋げるためのフック金具１４が設けられているので、ペットの跳び出しを防止できる。また、開口部３０には周縁が広がらないようにするためのベルト２９が設けられているので、バッグ本体２の変形を防止してその形状を安定させることができる。また、バッグ本体２には中敷４０が設けられているので、常に清潔にすることができる。また、ペット用バッグ１を折り畳んだ状態で折り目の部分の両端には取付け部５０が設けられているので、ペット用バッグ１をショルダバッグや手提げカバンとすることができる。加えて、ペット用バッグ１を折り畳んだ状態で外側となる部分にポケット１２が設けられているので、折り畳んだ状態において、必要なものをいつでも取り出すことができる。
【図面の簡単な説明】
【００９６】
【図１】実施の形態１に係るペット用バッグの斜視図である。
【図２】実施の形態１に係るペット用バッグを肩にかけた状態を示した概略図である。
【図３】実施の形態１に係るペット用バッグを折り畳む状態を示し、図３（Ａ）は折り畳み途中の状態を示した概略図であり、図３（Ｂ）はホックを係合するときの状態を示した概略図であり、図３（Ｃ）はホックを係合してハンドバッグ状のものとしたときの状態を示した概略図である。
【図４】実施の形態２に係るペット用バッグの斜視図である。
【図５】実施の形態２に係るペット用バッグの中敷の斜視図である。
【図６】実施の形態２に係るペット用バッグの底面部の拡大断面図である。
【図７】実施の形態２に係るペット用バッグを折り畳んだ状態のものにショルダーベルトを取り付けたものを示した概略図である。
【符号の説明】
【００９７】
１            ペット用バッグ
２            バッグ本体
３            ショルダーベルト
４            ゴム紐
５            調整紐
６            紐通し
８            ホック
１３          貫通穴
２０          底面部
２１          横側面部
２２          縦側面部
３０          バッグ本体の開口部
４０          中敷
５０          取付け部
【図１】
2008142322.tif 000003
【図２】
2008142322.tif 000004
【図３】
2008142322.tif 000005
【図４】
2008142322.tif 000006
【図５】
2008142322.tif 000007
【図６】
2008142322.tif 000008
【図７】
2008142322.tif 000009